【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
少なくとも１つのリモートネットワーク機器によってセグメントに分割されて与えられるマルチメディアコンテンツを受信するように構成された要求側端末に与えられるマニフェストを作成する方法であって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、
前記マニフェストにおいて、前記全体空間オブジェクトに対する前記マルチメディアコンテンツのマッピングのタイプと、前記アダプテーションセットのうちの１つの基準アダプテーションセットにおける基準点と、を定義することと、
各アダプテーションセットに奥行き情報を関連付けることと、
を含む方法。
【請求項２】
前記マッピングのタイプは、
球形マッピングと、
円筒形マッピングと、
立方体マッピングと、
ピラミッド形マッピングと、
からなるマッピングの群に属する、請求項１に記載の方法。
【請求項３】
前記基準点は、前記基準アダプテーションセットに関連付けられた前記空間オブジェクトの中心に対応する、請求項１から２のいずれか一項に記載の方法。
【請求項４】
前記マニフェストにおいて指定されている１つ又は複数のアダプテーションセットに関連付けられた座標を定義することを更に含む、請求項１から３のいずれか一項に記載の方法。
【請求項５】
少なくとも１つのリモートネットワーク機器によってセグメントに分割されて与えられるマルチメディアコンテンツを受信するように構成されたクライアント端末へ、１つのネットワーク機器から送信されるように意図されたマニフェストであって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、前記全体空間オブジェクトに対する前記マルチメディアコンテンツのマッピングのタイプと、前記アダプテーションセットのうちの１つの基準アダプテーションセットにおける基準点と、各アダプテーションセットに関連付けられた奥行き情報と、を含む前記マニフェスト。
【請求項６】
前記基準点は、前記基準アダプテーションセットに関連付けられた前記空間オブジェクトの中心に対応する、請求項５に記載のマニフェスト。
【請求項７】
前記マニフェストにおいて指定されている１つ又は複数のアダプテーションセットに関連付けられた座標を含む、請求項５又は６に記載のマニフェスト。
【請求項８】
セグメントに分割されたマルチメディアコンテンツをネットワーク機器から受信するように構成された要求側端末に与えられるマニフェストを作成するネットワーク機器であって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、
前記マニフェストにおいて、前記全体空間オブジェクトに対する前記マルチメディアコンテンツのマッピングのタイプと、前記アダプテーションセットのうちの１つの基準アダプテーションセットにおける基準点と、を定義することと、
各アダプテーションセットに奥行き情報を関連付けることと、
を行うように構成された少なくとも１つのメモリ及び少なくとも１つの処理回路を含むネットワーク機器。
【請求項９】
前記１つの処理回路は、更に、前記マニフェストにおいて指定されている１つ又は複数のアダプテーションセットに関連付けられた座標を定義するように構成されている、請求項８に記載のネットワーク機器。
【請求項１０】
少なくとも１つのリモートネットワーク機器によってセグメントに分割されて与えられるマルチメディアコンテンツを受信するように構成された要求側端末によってマニフェストを受信する方法であって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、
前記マニフェストは更に、前記全体空間オブジェクトに対する前記マルチメディアコンテンツのマッピングのタイプと、前記アダプテーションセットのうちの１つの基準アダプテーションセットにおける基準点と、を定義し、各アダプテーションセットに奥行き情報を関連付ける、
方法。
【請求項１１】
少なくとも１つのリモートネットワーク機器によってセグメントに分割されて与えられるマルチメディアコンテンツを受信するように構成されたクライアント端末であって、各セグメントは１つ又は複数のリプレゼンテーションで利用可能であり、前記クライアント端末は更に、前記マルチメディアコンテンツの利用可能なリプレゼンテーションをリスト化し、且つ、複数のアダプテーションセットを指定しているマニフェストを受信するように構成されており、各アダプテーションセットは、前記マルチメディアコンテンツの空間オブジェクトを定義しており、前記アダプテーションセットの前記空間オブジェクトは、全体空間オブジェクトを定義しており、
前記マニフェストは更に、前記全体空間オブジェクトに対する前記マルチメディアコンテンツのマッピングのタイプと、前記アダプテーションセットのうちの１つの基準アダプテーションセットにおける基準点と、を定義し、各アダプテーションセットに奥行き情報を関連付ける、
クライアント端末。
【手続補正２】
【補正対象書類名】明細書
【補正対象項目名】００７７
【補正方法】変更
【補正の内容】
【００７７】
図面におけるフローチャート及び／又はブロック図は、本開示の様々な実施形態によるシステム、方法、及びコンピュータプログラム製品の可能な実施態様の構成、動作、及び機能性を示す。この点において、フローチャート又はブロック図の各ブロックは、コードのモジュール、セグメント、又は部分を表すものであってよく、これは、指定された論理機能を実施する１つ又は複数の実行可能命令を含む。また、代替実施態様によっては、ブロック内に記されている各機能は、図面に記されている順序から外れて実施されてよい。例えば、連続して表示されている２つのブロックが、実際には、ほぼ同時に実行されてよく、場合によっては、必要とされる機能性に応じて、これらのブロックが逆の順序で実行されてよく、或いは、別の順序で実行されてよい。また、ブロック図及び／又はフローチャート図の各ブロック、並びに、ブロック図及び／又はフローチャート図のブロック同士の組み合わせは、指定された機能又は動作を実施する専用ハードウェアベースのシステム、又は専用ハードウェアとコンピュータ命令との組み合わせによって実施されてよい。明示的には述べていないが、本実施形態同士は、任意の組み合わせ又は副組み合わせで用いられてよい。
上述の実施形態の一部又は全部は、以下の付記のように記載され得るが、以下には限定されない。
（付記１）
少なくとも１つのリモートネットワーク機器（Ｓ）によってセグメントに分割されて与えられるマルチメディアコンテンツを受信するように構成された要求側端末（Ｔ）に与えられるマニフェストを作成する方法であって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、
前記マニフェストにおいて、前記全体空間オブジェクト（Ｏ）に対する前記マルチメディアコンテンツのマッピングのタイプと、前記アダプテーションセットのうちの１つの基準アダプテーションセットにおける基準点（４０４）と、を定義することと、
各アダプテーションセットに奥行き情報を関連付けることと、
を含む方法。
（付記２）
前記マッピングのタイプは、
球形マッピングと、
円筒形マッピングと、
立方体マッピングと、
ピラミッド形マッピングと、
からなるマッピングの群に属する、付記１に記載の方法。
（付記３）
前記基準点（４０４）は、前記基準アダプテーションセットに関連付けられた前記空間オブジェクト（４０１）の中心に対応する、付記１又は２に記載の方法。
（付記４）
前記マニフェストにおいて指定されている１つ又は複数のアダプテーションセットに関連付けられた座標（θ１，θ２，φ１，φ２）を定義することを更に含む、付記１から３のいずれか一項に記載の方法。
（付記５）
少なくとも１つのリモートネットワーク機器（Ｓ）によってセグメントに分割されて与えられるマルチメディアコンテンツを受信するように構成されたクライアント端末（Ｔ）へ、１つのネットワーク機器（Ｓ）から送信されるように意図されたマニフェストであって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、前記全体空間オブジェクト（Ｏ）に対する前記マルチメディアコンテンツのマッピングのタイプと、前記アダプテーションセットのうちの１つの基準アダプテーションセットにおける基準点（４０４）と、各アダプテーションセットに関連付けられた奥行き情報と、を含む前記マニフェスト。
（付記６）
前記基準点は、前記基準アダプテーションセットに関連付けられた前記空間オブジェクト（４０１）の中心に対応する、付記５に記載のマニフェスト。
（付記７）
前記マニフェストにおいて指定されている１つ又は複数のアダプテーションセットに関連付けられた座標（θ１，θ２，φ１，φ２）を含む、付記５又は６に記載のマニフェスト。
（付記８）
セグメントに分割されたマルチメディアコンテンツをネットワーク機器から受信するように構成された要求側端末（Ｔ）に与えられるマニフェストを作成するネットワーク機器であって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、
前記マニフェストにおいて、前記全体空間オブジェクト（Ｏ）に対する前記マルチメディアコンテンツのマッピングのタイプと、前記アダプテーションセットのうちの１つの基準アダプテーションセットにおける基準点（４０４）と、を定義することと、
各アダプテーションセットに奥行き情報を関連付けることと、
を行うように構成された少なくとも１つのメモリ（３０１）及び少なくとも１つの処理回路（３００）を含むネットワーク機器。
（付記９）
前記１つの処理回路（３００）は更に、前記マニフェストにおいて指定されている１つ又は複数のアダプテーションセットに関連付けられた座標（θ１，θ２，φ１，φ２）を定義するように構成されている、付記８に記載のネットワーク機器。
（付記１０）
少なくとも１つのリモートネットワーク機器（Ｓ）によってセグメントに分割されて与えられるマルチメディアコンテンツを受信するように構成された要求側端末（Ｔ）によってマニフェストを受信する方法であって、各セグメントは１つ又は複数のリプレゼンテーションで利用可能であり、前記マニフェストは、前記マルチメディアコンテンツの利用可能なリプレゼンテーションをリスト化し、且つ、複数のアダプテーションセットを指定しており、各アダプテーションセットは、前記マルチメディアコンテンツの空間オブジェクトを定義しており、前記アダプテーションセットの前記空間オブジェクトは、全体空間オブジェクトを定義しており、
前記マニフェストは更に、前記全体空間オブジェクト（Ｏ）に対する前記マルチメディアコンテンツのマッピングのタイプと、前記アダプテーションセットのうちの１つの基準アダプテーションセットにおける基準点（４０４）と、を定義し、各アダプテーションセットに奥行き情報を関連付ける、
方法。
（付記１１）
少なくとも１つのリモートネットワーク機器（Ｓ）によってセグメントに分割されて与えられるマルチメディアコンテンツを受信するように構成されたクライアント端末であって、各セグメントは１つ又は複数のリプレゼンテーションで利用可能であり、前記クライアント端末（Ｔ）は更に、前記マルチメディアコンテンツの利用可能なリプレゼンテーションをリスト化し、且つ、複数のアダプテーションセットを指定しているマニフェストを受信するように構成されており、各アダプテーションセットは、前記マルチメディアコンテンツの空間オブジェクトを定義しており、前記アダプテーションセットの前記空間オブジェクトは、全体空間オブジェクトを定義しており、
前記マニフェストは更に、前記全体空間オブジェクト（Ｏ）に対する前記マルチメディアコンテンツのマッピングのタイプと、前記アダプテーションセットのうちの１つの基準アダプテーションセットにおける基準点（４０４）と、を定義し、各アダプテーションセットに奥行き情報を関連付ける、
クライアント端末。